(57)【要約】      （修正有）【課題】蓋体の装飾効果を向上させつつ、そのうえ実用品として日常的な取り扱いも容易である装飾機能付き容器を提供する。【解決手段】食品等の被収容物を収容する容体２と、その容体に取り付けられる蓋体３とを備えている容器であって、蓋体とは別体に形成され蓋体の上面部に着脱自在となっている台座枠４と、その台座枠の上面側に覆設され台座枠に着脱自在となっている透明カバー５と、その透明カバーにより被覆され、透明カバーと台座枠との間に設置され、透明カバー越しに外部に表示される装飾が施された装飾用シート６とを備え、その装飾用シートを台座枠及び透明カバーの間に挟み込んで固定し、装飾用シートを装飾の異なる別の装飾用シート１６に交換することで装飾変更し、又は、表裏両面に異なる装飾が施された装飾用シートを表裏反転することで装飾変更するものである。【選択図】図２
0003171202.tif 000002
【実用新案登録請求の範囲】
【請求項１】
食品等の被収容物を収容する容体と、その容体に取り付けられる蓋体とを備えている容器において、
前記蓋体とは別体に形成されその蓋体の上面部に着脱自在となっている台座枠と、
その台座枠の上面側に覆設されその台座枠に着脱自在となっている透明カバーと、
その透明カバーにより被覆され、その透明カバーと前記台座枠との間に設置され、その透明カバー越しに外部に表示される装飾が施された装飾用シートと、
その装飾用シートを前記台座枠及び透明カバーの間に挟み込んで固定するシート固定構造と、
前記装飾用シートを装飾の異なる別の装飾用シートに交換することで装飾変更し、又は、表裏両面に異なる装飾が施された前記装飾用シートを表裏反転することで装飾変更する装飾変更手段とを備えていることを特徴とする装飾機能付き容器。
【請求項２】
前記装飾用シートから上方に間隔を隔てて前記台座枠の上面側に覆設される透明な平板部と、その平板部の一部から前記装飾用シートへ向けて延出され前記台座枠との間で前記装飾用シートの一部を挟み込んで固定するシート固定部とを有する前記透明カバーと、
その透明カバーの前記平板部と前記装飾用シートとの間に形成される空間であって、その装飾用シート上に形成される立体状の装飾物を収容可能な装飾用空間とを備えていることを特徴とする請求項１記載の装飾機能付き容器。
【請求項３】
前記台座枠は、その台座枠の上面部に凹設され前記装飾用シートが底面に敷設されて収容される収容凹部と、その収容凹部の底面に敷設される前記装飾用シートの下面から当該台座枠の下面まで貫通形成される押出孔とを備えており、
当該台座枠が前記蓋体から取り外された状態において、その押出孔を通じて当該台座枠の下面側から前記装飾用シートを押し上げ可能に形成されていることを特徴とする請求項１又は２に記載の装飾機能付き容器。
【請求項４】
前記押出孔は、前記台座枠が前記蓋体に装着された状態にあってその蓋体とその台座枠との間に隠蔽され、かつ、その台座枠上に前記装飾用シートが設置された状態にあってその装飾用シートによって隠蔽されるものあることを特徴とする請求項３記載の装飾機能付き容器。
【考案の詳細な説明】
【技術分野】
【０００１】
本考案は、食品等の被収容物を収容する容体と、その容体に取り付けられる蓋体とを備えている弁当箱や重箱などの容器に関するものである。
【背景技術】
【０００２】
従来、食品等の被収容物を収容する容体と、その容体に取り付けられる蓋体とを備えている弁当箱や重箱などの容器の中には、その蓋体の上面に文字、図形若しくは記号又はこれらと色彩との結合（以下「模様等」という。）による装飾的デザインが施されたものがあった。
【考案の概要】
【考案が解決しようとする課題】
【０００３】
しかしながら、上記容器では、その蓋体に装飾的デザインが直接印刷等によって描かれているため、一度蓋体に施された装飾的デザインを容易に変更することができず、利用者が自分の好みに応じて装飾的デザインを変更することもできないという問題点があった。
【０００４】
本考案は、上述した問題点を解決するためになされたものであり、蓋体の装飾効果を向上させつつ、そのうえ実用品として日常的な取り扱いも容易である装飾機能付き容器を提供することを目的としている。
【課題を解決するための手段】
【０００５】
この目的を達成するために請求項１の装飾機能付き容器は、食品等の被収容物を収容する容体と、その容体に取り付けられる蓋体とを備えている容器であって、前記蓋体とは別体に形成されその蓋体の上面部に着脱自在となっている台座枠と、その台座枠の上面側に覆設されその台座枠に着脱自在となっている透明カバーと、その透明カバーにより被覆され、その透明カバーと前記台座枠との間に設置され、その透明カバー越しに外部に表示される装飾が施された装飾用シートとを備え、その装飾用シートを前記台座枠及び透明カバーの間に挟み込んで固定するシート固定構造と、前記装飾用シートを装飾の異なる別の装飾用シートに交換することで装飾変更し、又は、表裏両面に異なる装飾が施された前記装飾用シートを表裏反転することで装飾変更する装飾変更手段とを備えている。
【０００６】
この請求項１の装飾機能付き容器によれば、台座枠が蓋体に装着され、この台座枠上に装飾用シートが設置される。また、透明カバーは装飾用シートの上から台座枠の上面側に装着される。すると、台座枠の上面側には透明カバーが覆設され、この透明カバーによって装飾用シートが被覆される。このとき、シート固定構造によって、装飾用シートは透明カバーと台座枠との間に挟み込まれて固定される。また、装飾用シートの上面に施された装飾は、透明カバーを透過し、この透明カバー越しに外部に表示される。
【０００７】
透明カバーは台座枠に着脱自在となっているので、この透明カバーが台座枠から取り外されることによって、シート固定構造が一時的に解除される。このとき、装飾変更手段によれば、装飾用シートが別の装飾用シートに交換されたり、又は、表裏両面に異なる装飾が施された装飾用シートの表裏反転させて表裏入れ替えられることで、透明カバー越しに外部に表示される装飾（デザイン）が容易に変更される。
【０００８】
なお、ここで言う「装飾用シートを別の装飾用シートに交換する」の用語の意義には、元からあった装飾用シート自体をそれとは別個の装飾用シートに交換することが含まれるとともに、この他にも、例えば、元からあった装飾用シートに施されていた装飾を作り替えて改変し、この改変後の新たな装飾が施された装飾用シートを実質的に別の装飾装飾用シートとして用いることが含まれている。
【０００９】
ところで、装飾用シートはシート状であれば、その素材の種類は、特に限定されるものではなく、例えば、紙製でも、プラスチック製でも、木製でも、金属製でも良い。しかしながら、装飾用シートが防水性の乏しい紙製である場合には、蓋体に装飾用シートを取り付けたままでは、透明カバーと台座枠との隙間から浸透した水でインクが滲んで模様等を汚損させたり、装飾用シート自体がふやけて破損してしまうことがある。
【００１０】
一方、蓋体は、容体と同様に食品等の被収容物と接触して汚れ易いため、衛生上も使用後に洗浄することが好ましいものである。
【００１１】
そこで、本考案では、台座枠が蓋体とは別体に形成されており、装飾用シートが透明カバーと台座枠との間に挟み込まれた状態のままでも、台座枠を蓋体から取り外しさえすれば、装飾用シートの水濡れによる汚損や破損を心配することなく、蓋体を丸ごと水洗いすることができる構造となっている。
【００１２】
請求項２の装飾機能付き容器は、請求項１の装飾機能付き容器において、前記装飾用シートから上方に間隔を隔てて前記台座枠の上面側に覆設される透明な平板部と、その平板部の一部から前記装飾用シートへ向けて延出され前記台座枠との間で前記装飾用シートの一部を挟み込んで固定するシート固定部とを有する前記透明カバーと、その透明カバーの前記平板部と前記装飾用シートとの間に形成される空間であって、その装飾用シート上に形成される立体状の装飾物を収容可能な装飾用空間とを備えている。
【００１３】
この請求項２の装飾機能付き容器によれば、請求項１の装飾機能付き容器と同様に作用する上、透明カバーのシート固定部の下端と台座枠との間に装飾用シートが挟み込まれてしっかりと固定される。また、装飾用シートの上方には透明カバーの平板部が覆設され、この透明カバーの平板部と装飾用シートの上面との間には間隔が設けられる。そして、この間隔が装飾用空間として利用される。
【００１４】
例えば、水引、紙彫刻、デコパーツなどを用いて、装飾用シート上に立体状の装飾物が形成されたような場合には、この装飾用シート上にある立体状の装飾物は、装飾用空間内に収容された状態で、透明カバーの平板部によって被覆保護される。また、立体状の装飾物を利用することによって、装飾用シートを用いた装飾性がより一層高められる。
【００１５】
請求項３の装飾機能付き容器は、請求項１又は２の装飾機能付き容器において、前記台座枠は、その台座枠の上面部に凹設され前記装飾用シートが底面に敷設されて収容される収容凹部と、その収容凹部の底面に敷設される前記装飾用シートの下面から当該台座枠の下面まで貫通形成される押出孔とを備えており、当該台座枠が前記蓋体から取り外された状態において、その押出孔を通じて当該台座枠の下面側から前記装飾用シートを押し上げ可能に形成されている。
【００１６】
この請求項３の装飾機能付き容器によれば、請求項１又は２の装飾機能付き容器と同様に作用する上、装飾用シートは台座枠の収容凹部内に収容される。このとき、装飾用シートは収容凹部の底面に敷設される。装飾用シートを台座枠から取り外す場合は、台座枠が蓋体から取り外された後、押出孔へ指先などが差し入れて、装飾用シートがその下面側から収容凹部の外へ向けて押し上げられる。すると、装飾用シートが収容凹部から浮き上がって、収容凹部の外へ押し出され、台座枠から取り外される。
【００１７】
請求項４の装飾機能付き容器は、請求項３の装飾機能付き容器において、前記押出孔は、前記台座枠が前記蓋体に装着された状態にあってその蓋体とその台座枠との間に隠蔽され、かつ、その台座枠上に前記装飾用シートが設置された状態にあってその装飾用シートによって隠蔽されるものある。
【考案の効果】
【００１８】
請求項１の装飾機能付き容器によれば、その装飾変更手段によって、蓋体に施される装飾（デザイン）を所望のものに随時変更することができるという効果がある。特に、装飾用シートの表裏両面に異なる装飾を施した場合には、１枚の装飾用シートの表裏を入れ替えるだけで、容器の蓋体の装いを簡単に変貌させることができ、かつ、そのために必要となる操作も極めて簡易であるという効果がある。
【００１９】
また、装飾用シートを設置した台座枠は、蓋体の上面部に着脱自在であって蓋体とは別体に形成されるので、装飾用シートを挟み込んだ透明カバー及び台座枠を分解することなく、蓋体のみを取り外すことができる。このため、蓋体のみを取り外せば、装飾用シートを濡らして汚損や破損させることなく、汚れやすい蓋体を容体と一緒に洗浄できるので、日常的な取り扱いが極めて容易かつ便利であるという効果がある。
【００２０】
また、蓋体を装飾変更手段として装飾の施されたシート（薄板）である装飾用シートを用いていることから、その装飾用シートを透明カバーと台座枠との間に挟み込むという極めて簡易なシート固定構造を採用することができ、結果、透明カバー、装飾用シート及び台座枠の組立構造の高さ（厚み）を最小限に抑制することができるという効果がある。
【００２１】
このため、容器の蓋を、蓋体とその上に載置される台座枠とに分割した構造を採用して、台座枠なる部材を余分に設けているにも関わらず、容器の蓋が全体としてそれ程分厚くなることもなく、既存する容器及びその蓋が持つ一般的な外観を維持保全したまま、容器の蓋に対して装飾の変更機能を付与できるという効果がある。
【００２２】
請求項２の装飾機能付き容器によれば、請求項１の装飾機能付き容器の奏する効果に加え、装飾用シートは透明カバーによって被覆されるので、装飾用空間内にある立体状の装飾物を保護できる。このため、例えば、本考案の容器の上に他の容器を重ねて食器棚に収納するような場合でも、立体状の装飾物が潰れこともなく、立体状の装飾物が邪魔になって他の容器を重ね載せることが阻害されることもない。よって、容器自体の実用的な使い勝手を犠牲にすることなく、その装飾性能を高めることができるという効果がある。
【００２３】
請求項３の装飾機能付き容器によれば、請求項１又は２の装飾機能付き容器の奏する効果に加え、台座枠の下面にある押出孔は、台座枠を蓋体から取り外せば姿を現すので、この押出孔を通じて、装飾用シートをその下面側から収容凹部の外へ向けて押し上げることによって、収容凹部内に嵌め込まれて外れ難くなっている装飾用カバーを簡単に収容凹部の外へ押し出すことができるという効果がある。
【００２４】
例えば、収容凹部の底面形状と装飾用シートの平面形状とぴったり合致し、装飾用シートが収容凹部の底面に全体的に敷設されて、両者間に隙間が殆どないような場合にあっては、収容凹部から装飾用シートを摘み出し難く、また、台座枠を上下逆さまにしても装飾用シートが収容凹部から抜け落ち難くなるため、装飾用シートが収容凹部から非常に取り出しに難くなるからである。
【００２５】
請求項４の装飾機能付き容器によれば、請求項３の装飾機能付き容器の奏する効果に加え、押出孔は、台座枠が蓋体に装着された状態で蓋体と台座枠との間に隠蔽され、かつ、収容凹部の底面に敷設される装飾用シートによっても隠蔽されるので、この押出孔が容器の使用時に不格好に露出することがなく、容器全体の美観を損ねることがないという効果がある。
【図面の簡単な説明】
【００２６】
【図１】（ａ）は、本考案の一実施例である装飾機能付きの重箱に関する外観斜視図であり、（ｂ）は、（ａ）に示す重箱に使用される装飾用シート単体の外観斜視図である。
【図２】重箱を上方から斜視した分解斜視図である。
【図３】重箱を下方から斜視した分解斜視図である。
【図４】（ａ）は、図１に示した重箱についての縦断面図であり、（ｂ）は、（ａ）に示した透明カバー及び装飾用シートが装着された台座枠を蓋体から取り外した状態を示した縦断面図であり、（ｃ）は、（ｂ）に示した透明カバーを台座枠から取り外した状態を示した縦断面図である。
【図５】上面に立体状の装飾物を形成した装飾用シートを用いた重箱を部分的に断面視した斜視図である。
【図６】（ａ）は、第１変形例の重箱を部分的に断面視した斜視図であり、台座枠、透明カバー及び装飾用シートの組立構造を図示したものであり、（ｂ）は、（ａ）の組立構造の分解斜視図である。
【図７】（ａ）は、第２変形例の重箱を部分的に断面視した斜視図であり、台座枠、透明カバー及び装飾用シートの組立構造を図示したものであり、（ｂ）は、（ａ）の組立構造の分解斜視図である。
【図８】（ａ）は、第３変形例の重箱を部分的に断面視した斜視図であり、台座枠、透明カバー及び装飾用シートの組立構造を図示したものであり、（ｂ）は、（ａ）の組立構造の分解斜視図である。
【図９】（ａ）は、第４変形例の重箱を部分的に断面視した斜視図であり、台座枠、透明カバー及び装飾用シートの組立構造を図示したものであり、（ｂ）は、（ａ）の組立構造の分解斜視図である。
【図１０】第５変形例の重箱を部分的に断面視した斜視図である。
【考案を実施するための形態】
【００２７】
以下、本考案の好ましい実施の形態について、添付図面を参照して説明する。図１（ａ）は、本考案の一実施例である装飾機能付きの重箱１に関する外観斜視図であり、図１（ｂ）は、（ａ）に示す重箱１に使用される装飾用シート６単体の外観斜視図である。図（ａ）に示すように、重箱１は、食品等の被収容物を収容する容体２と、その容体２に着脱自在に取り付けられる蓋体３とを備えている容器である。
【００２８】
なお、本実施例では、本考案の装飾機能付き容器の一例として重箱１を用いて説明するが、本考案の容器を適用する対象は必ずしも重箱１に限定されるものではなく、その他にも弁当箱などに用いられる密封容器に適用しても良い。
【００２９】
重箱１の蓋体３の上面部には、それとは別体に形成された台座枠４が着脱自在に積み重ねられた状態で装着されている。台座枠４は、その外周縁全体に上向きに周壁部４ａが垂設されており、この周壁部４ａの内周部全体が収容凹部４ｂとなっている。
【００３０】
この収容凹部４ｂは、台座枠４の上面部全体に凹設されており、この収容凹部４ｂの全体には透明な樹脂材料で形成された透明カバー５が着脱自在に嵌め込まれている。透明カバー５は、収容凹部４ｂ内に嵌り込むことによって台座枠４の上面側に覆設されており、この透明カバー５の下側には装飾用シート６が存在している。
【００３１】
装飾用シート６は、台座枠４の収容凹部４ｂ内に抜き取り可能に収容されており、この収容凹部４ｂに収容された状態で透明カバー５と台座枠４との間に設置されている。図１（ｂ）に示すように、この装飾用シート６は、その表面６ａに文字や模様等を用いて施された装飾Ａが透明カバー５を透過して外部に表示されており、この装飾Ａによって重箱１の蓋体３上面部の美観は高められている。
【００３２】
ここで、装飾用シート６に装飾Ａとして施される文字や模様等の形成方法は、特に限定されるものではなく、各種印刷方法や手書きによる方法その他現存する模様等の形成方法を使用することができる。
【００３３】
また、文字や模様等の装飾Ａの内容は、特に一定のものに限定される訳ではなく、例えば、正月、節分、桃の節句、春分、端午の節句、七夕、お盆、秋分その他の季節を題材としたもの、入学式、卒業式、結婚式、出産祝いその他の各種慶事を題材としたもの、又は、運動会、遠足その他の年中行事やイベントを題材としたもの、その他にも各種のキャラクターや各種の広告を内容としたものなど広範に及ぶ。
【００３４】
図２は、重箱１を上方から斜視した分解斜視図である。図２に示すように、容体２は、その内部に被収容物が納められる空間２ａが設けられた有底無蓋の箱状体であり、この空間２ａの周囲四面及び底面が周壁板２ｂ及び底板２ｃによって覆い囲われ、その底板２ｃの上方が開口となって開放されている。
【００３５】
蓋体３は、容体２の開口の全体を覆い塞ぐ板状に形成されており、その外周縁全体に上向きに周壁部３ａが垂設されている。この蓋体３の周壁部３ａの内周部には、この周壁部３ａの上端面から凹んで低まった嵌合凹部３ｂが凹設されている。
【００３６】
台座枠４の周壁部４ａ内周にある収容凹部４ｂは、台座枠４の周壁部４ａの上端面から凹んで一段低まった凹窩である。収容凹部４ｂの底部には台座枠４の底板４ｃが設けられており、この台座枠４の底板４ｃ上面が収容凹部４ｂの底面となっている。また、この収容凹部４ｂの底面の中央部には、台座枠４の底板４ｃ下面まで上下方向に貫通した押出孔４ｄが開口形成されている。
【００３７】
押出孔４ｄは、台座枠４を蓋体３から取り外した状態で、この押出孔４ｄを通じて台座枠４の下面側から装飾用シート６を直接に押し上げて、装飾用シート６を収容凹部４ｂの外へ押し出すために使用される。また、透明カバー５を台座枠４の収容凹部４ｂから押し出す場合にも、この押出孔４ｄが使用される。
【００３８】
装飾用シート６が収容凹部４ｂ内に不在の場合には透明カバー５を直接に、又、装飾用シート６が収容凹部４ｂ内に存在する場合には透明カバー５を装飾用シート６越しに押し上げることで、透明カバー５が収容凹部４ｂの外へ押し出される。
【００３９】
装飾用シート６は、例えば、厚紙、ボール紙、クラフト紙、板紙、プラスチック製シートなどの比較的腰の強いシート材で形成されており、それを持ち上げても自重で折れ曲がらない程度の腰の強さを有している。例えば、厚さ１ｍｍ程度の厚紙やボール紙も用いることができる。そして、この装飾用シート６の表面６ａには、上記した文字や模様等を用いた装飾Ａが施されている。
【００４０】
透明カバー５は、装飾用シート６を被覆して保護するカバーである。この透明カバー５は、当該透明カバー５が台座枠４の収容凹部４ｂ内に嵌り込んだ際に、その収容凹部４ｂの開口全体に覆設される透明な平板部５ａと、この平板部５ａの下面から下向きに垂設（延出）されその外周縁全体に設けられる周壁部５ｂとを備えている。なお、この透明カバー５が収容凹部４ｂから取り外されることによって、装飾用シート６は収容凹部４ｂから取り外し可能となる。
【００４１】
図３は、重箱１を下方から斜視した分解斜視図である。図３に示すように、容体２には、その底板２ｃの四隅にＬ字形状の高台２ｄが下向き凸状にそれぞれ設けられている。このため、容体２を別の容体２の天面上又は蓋体３の上面部に載せて、当該容体２の各Ｌ字形状の高台２ｄを、別の容体２の開口内側の四隅、又は、蓋体３の嵌合凹部３ｂ内の四隅に嵌め合わせることで、当該容体２を別の容体２の周壁板２ｂ上又は蓋体３の周壁部３ａ上に位置決めすることもできる。
【００４２】
蓋体３は、その下面部の外周縁全体に当接縁面３ｃが形成されており、この当接縁面３ｃが容体２の周壁板２ｂの上端面に当接載置されるようになっている。また、蓋体３の下面部における外周縁の各辺中央には当接縁面３ｃより僅かに凹んだ指掛凹部３ｄが凹設されている。
【００４３】
このため、図１に示すように、この指掛凹部３ｄと容体２の側板上端面との間には僅かな隙間Ｇが設けられる。よって、この隙間Ｇに指の爪の先を差し入れて引っ掛けることができ、蓋体３を容体２から取り外し易くなる。
【００４４】
さらに、蓋体３の下面部であって当接縁面３ｃより内側部分には、容体２の開口内に嵌合可能な嵌合凸部３ｅが下向き凸状に設けられている。この嵌合凸部３ｅが容体２の開口内に嵌合されることによって、蓋体３を容体２の天面部に位置決めできる。
【００４５】
台座枠４は、その下面部の外周縁全体に当接縁面４ｅが形成されており、この当接縁面４ｅが蓋体３の周壁部３ａの上端面に当接載置されるようになっている。また、この台座枠４の下面部であって当接縁面４ｅより内側部分には、蓋体３の嵌合凹部３ｂ内に嵌合可能な環状の高台４ｆが下向き凸状に設けられている。この高台４ｆが蓋体３の嵌合凹部３ｂ内に嵌合されることによって、台座枠４を蓋体３の上面部に位置決めできる。
【００４６】
さらに、この台座枠４の下面部中央には上記した押出孔４ｄが貫通形成されている。押出孔４ｄの周囲であって高台４ｆより内側部分には、装飾用シート６及び透明カバー５を支える台座枠４の底板４ｃが形成されている。
【００４７】
装飾用シート６の裏面６ｂには、上記した表面６ａに施されたものとは異なる文字や模様等の装飾Ｂが施されている。このように装飾用シート６のシート面６ａ，６ｂの装飾Ａ，Ｂが相違する場合、透明カバー５の取り外して収容凹部４ｂから一旦取り出すことによって、装飾用シート６を表裏反転して表裏入れ替えた後に収容凹部４ｂ内に再収容し、透明カバー５を嵌め直すことで、透明カバー５越しに表示される装飾Ａ，Ｂを容易に変更できる（装飾変更手段）。
【００４８】
また、図２及び図３に示すように、別の装飾用シート１６には、その表面１６ａに装飾Ｃが施されており、その裏面１６ｂに装飾Ｄが施されている。よって、透明カバー５の取り外して収容凹部４ｂから一旦取り出すことによって、装飾用シート６を別の装飾用シート１６に交換して収容凹部４ｂ内に再収容し、透明カバー５を嵌め直すことで、透明カバー５越しに表示される装飾Ａ，Ｂを装飾Ｃ，Ｄへと容易に変更することもできる（装飾変更手段）。
【００４９】
また、透明カバー５の平板部５ａの外周縁全体には所定厚みの周壁部５ｂが周設されており、この周壁部５ｂの下端面と平板部５ａの下面との間には一定の高低差が設けられている。
【００５０】
図４（ａ）は、図１に示した重箱１についての縦断面図であり、図４（ｂ）は、図４（ａ）に示した透明カバー５及び装飾用シート６が装着された台座枠４を蓋体３から取り外した状態を示した縦断面図であり、図４（ｃ）は、図４（ｂ）に示した透明カバー５を台座枠４から取り外した状態を示した縦断面図である。
【００５１】
図４（ａ）に示すように、台座枠４の収容凹部４ｂ内には装飾用シート６が収容されている。この装飾用シート６の上側には収容凹部４ｂ内に嵌め込まれた透明カバー５が存在している。透明カバー５の周壁部５ｂは装飾用シート６へ向けて延出され、その下端面が装飾用シート６の上面外周縁に当接されている。結果、装飾用シート６は、その外周縁が透明カバー５の周壁部５ｂと台座枠４の底板４ｃとの間に挟み込まれて固定されている（シート固定構造）。
【００５２】
また、透明カバー５の周壁部５ｂの外周面に凸設される係合突起５ｃは、台座枠４の周壁部４ａの内周面に凹設される係合凹部４ｇに脱着可能に係合されている。この係合によって、透明カバー５が収容凹部４ｂへの嵌脱方向において所定位置に位置決めされるとともに、透明カバー５が台座枠４に対して固定されている。そして、透明カバー５が台座枠４に対して固定されることで、装飾用シート６の挟み込み固定がロックされている。
【００５３】
なお、上記とは逆に、透明カバー５の周壁部５ｂの外周面に係合凹部４ｇを凹設し、台座枠４の周壁部４ａの内周面に係合突起５ｃを凸設するようにしても良い。
【００５４】
また、このとき、透明カバー５の平板部５ａの上面と台座枠４の周壁部４ａの上端面とは面一となる。このため、透明カバー５と台座枠４との間に装飾用シート６を挟み込んだ状態で透明カバー５が台座枠４から不格好に飛び出すこともなく、全体としてまとまりの良い美観を作り出せる。
【００５５】
押出孔４ｄは、台座枠４が蓋体３に装着された状態であれば、蓋体３によって隠蔽される（図１参照。）。したがって、蓋体３の上面部に台座枠４を装着することによって、押出孔４ｄから装飾用シート６の下面側の模様が覗き見えることもなく、装飾用シート６の下面側にくる装飾Ａ又は装飾Ｂが押出孔４ｄを通して容体２内にある被収容物との接触するなどして汚損することもない。
【００５６】
また、装飾用シート６は、収容凹部４ｂの底面全体に敷設される。このため、面積スペースの限られた収容凹部４ｂの底面全体を最大限に活用して装飾Ａ，Ｂを施すことができる。しかも、装飾用シート６が収容凹部４ｂの底面全体を覆うので、収容凹部４ｂの底面の中央部に開口した押出孔４ｄを、装飾用シート６によって隠蔽することができる。よって、収容凹部４ｂの底面に押出孔４ｄが開口形成されていても、その存在が透明カバー５越しに露呈されることもなく、重箱１の美観を損なわずに済む。
【００５７】
図４（ｂ）に示すように、台座枠４が蓋体３から取り外された状態にあって、押出孔４ｄは、台座枠４の下面側から装飾用シート６の下面側まで貫通した形態となる。このため、この押出孔４ｄから装飾用シート６の下面側へ指先などを挿入して、図４（ｃ）に示すように、この装飾用シート６を収容凹部４ｂの上方へ向けて押し上げることができる。すると、この押し上げ力によって係合突起５ｃと係合凹部４ｇとの係合状態が解除され、透明カバー５及び装飾用シート６を台座枠４の収容凹部４ｂから抜き外される。
【００５８】
また、図４（ｂ）に示すように、透明カバー５の周壁部５ｂは、透明カバー５の平板部５ａから収容凹部４ｂの底面へ向けて下向きに垂設されている。そして、この周壁部５ｂの高さ分（例えば、５ｍｍ程度）の隙間が、透明カバー５の平板部５ａと装飾用シート６の上面との間に設けられる。この隙間は、装飾用シート６上に形成される立体状の装飾物Ｅ（図４（ｂ）中の２点鎖線）を収容するための装飾用空間７である。
【００５９】
図５は、上面に立体状の装飾物Ｅを形成した装飾用シート６を用いた重箱１を部分的に断面視した斜視図である。図５に示すように、装飾用空間７の高さ以下であれば、装飾用シート６の上面に立体状の装飾物Ｅを形成し、これを透明カバー５越しに見せることで重箱１を装飾することができる。
【００６０】
ここで、立体状の装飾物Ｅには、例えば、伝統的な水引をはじめ、デコレーションパーツやシール等の現代的な装飾具、その種類は多種多様なものがある。ところが、水引については僅かな力で型くずれし易く、いわゆるデコレーションパーツは個々のパーツが接着不良等の原因により紛失し易い。したがって、これらの立体状の装飾物Ｅは、重箱１や弁当箱などの容器の外面に直接取り付けて使用するには不向きである。
【００６１】
もっとも、本実施例の重箱１であれば、水引やデコレーションパーツを用いた立体状の装飾物Ｅであっても、透明カバー５で覆われた装飾用空間７内にディスプレイすることができるので、水引の型くずれやデコレーションパーツの紛失等を気にすることなく、重箱１を装飾することができる。
【００６２】
次に、図６から図９を参照して、上記した実施例の変形例について説明する。図６から図９において、図６（ａ）から図９（ａ）は、第１から第４変形例の重箱２０，３０，４０，５０を部分的に断面視した斜視図であって台座枠、透明カバー及び装飾用シートの組立構造を図示したものであり、図６（ｂ）から図９（ｂ）は、図６（ａ）から図９（ａ）に示した組立構造の分解斜視図である。以下、上記実施例と同一の部分には同一の符号を付して、その説明を省略し、異なる部分のみを説明する。
【００６３】
図６から図９に示している各変形例の重箱２０，３０，４０，５０は、上記実施例に対し、台座枠及び透明カバーによって装飾用シートを挟み込み固定するシート固定構造の具体的態様を変更したものであり、この変更に応じて透明カバー及び台座枠の形態にも必要な変更が施されている。
【００６４】
図６に示すように、第１変形例の重箱２０によれば、透明カバー２５には、その平板部２５ａ下面の外周縁全体に外周壁部２５ｂが下向きに垂設され、かつ、この外周壁部２５ｂから内周側に一定の間隔を隔てて平板部２５ａ下面の周囲全体に内周壁部２５ｃが下向きに垂設されている。
【００６５】
また、台座枠２４の上面側にはその外周縁全体に当接縁面２４ａが形成されており、この当接縁面２４ａは透明カバー２５の外周壁部２５ｂの下端面に当接している。また、台座枠２４の上面側の周囲全体には当接縁面２４ａよりも内側に周壁部２４ｂが上向きに垂設されている。この台座枠２４の周壁部２４ｂは、上記した透明カバー２５の外周壁部２５ｂ及び内周壁部２５ｃの間に嵌め込まれており、この嵌め込みによって透明カバー２５が台座枠２４に対し固定されている。
【００６６】
また、透明カバー２５の内周壁部２５ｃは、台座枠２４の収容凹部２４ｃに収容される装飾用シート６へ向けて延出されている。この透明カバー２５の内周壁部２５ｃの下端面は、装飾用シート６の上面外周縁に当接されており、この結果、装飾用シート６の外周縁が透明カバー２５の内周壁部２５ｃと台座枠２４の底板２４ｄとの間に挟み込まれて固定されている（シート固定構造）。
【００６７】
なお、上記実施例のように透明カバー２５を台座枠２４に固定するため、透明カバー２５の外周壁部２５ｂの内周面若しくは内周壁部２５ｃの外周面に係合突起５ｃ又は係合凹部４ｇの一方を設けるとともに、台座枠２４の周壁部２４ｂの外周面若しくは内周面に係合突起５ｃ又は係合凹部４ｇの他方を設けるようにしても良いが、図６では、これら係合突起５ｃ及び係合凹部４ｇの図示を便宜上省略している。
【００６８】
図７に示すように、第２変形例の重箱３０によれば、透明カバー３５の下面側には、その外周縁全体に周壁部３５ａが下向きに垂設されており、この周壁部３５ａの内周沿いに一定の幅をもった断面視逆凹字形の嵌合溝３５ｂが周回して凹設されている。また、透明カバー３５の下面側は、嵌合溝３５ｂより内周側にある部分の全体が装飾用シート６に当接して押止するシート固定部３５ｃとなっている。装飾用シート６は、この透明カバー３５のシート固定部３５ｃの下端面と台座枠２４の底板２４ｄとの間に挟み込まれることによって固定されている（シート固定構造）。
【００６９】
台座枠２４は、上記した第１変形例のものと同形態をしている。この台座枠２４はその上面側に当接縁面２４ａと周壁部２４ｂと収容凹部２４ｃとが設けられており、その当接縁面２４ａには透明カバー３５の周壁部３５ａの下端面が当接されている。また、透明カバー３５の嵌合溝３５ｂ内に台座枠２４の周壁部２４ｂが嵌め込まれ、透明カバー３５のシート固定部３５ｃが台座枠２４の収容凹部２４ｃ内に嵌め込まれることによって、透明カバー３５は台座枠２４に対し固定されている。
【００７０】
なお、上記実施例のように透明カバー３５を台座枠２４に固定するため、透明カバー３５の周壁部３５ａの内周面若しくはシート固定部３５ｃの外周面に係合突起５ｃ又は係合凹部４ｇの一方を設けるとともに、台座枠２４の周壁部２４ｂの外周面若しくは内周面に係合突起５ｃ又は係合凹部４ｇの他方を設けるようにしても良いが、図７では、これら係合突起５ｃ及び係合凹部４ｇの図示を便宜上省略している。
【００７１】
図８に示すように、第３変形例の重箱４０によれば、透明カバー４５は厚板状に形成されており、透明カバー４５全体が台座枠４の収容凹部４ｂ内に嵌め込まれている。この収容凹部４ｂへの嵌め込みによって透明カバー４５が台座枠４に固定されており、この透明カバー４５の全体が装飾用シート６に当接して押止する固定手段となっている。
【００７２】
このように装飾用シート６は、透明カバー４５全体と台座枠４の底板４ｃとの間に挟み込まれることによって固定されている（シート固定構造）。また、台座枠４は、上記実施例と同一形態をしており、透明カバー４５の上面は、装飾用シート６の上に載置された状態で台座枠４の周壁部４ａの上端面と面一となっている。
【００７３】
なお、上記実施例のように透明カバー４５を台座枠４に固定するため、透明カバー４５の外周面に係合突起５ｃ又は係合凹部４ｇの一方を設けるとともに、台座枠４の周壁部４ａの内周面に係合突起５ｃ又は係合凹部４ｇの他方を設けるようにしても良いが、図８では、これら係合突起５ｃ及び係合凹部４ｇの図示を便宜上省略している。
【００７４】
図９に示すように、第４変形例の重箱５０によれば、透明カバー５は、上記した実施例のものと同形態をしている。よって、この透明カバー５は、台座枠５４の上面側に覆設される平板部５ａと、その平板部５ａ下面の外周縁全体に下向きに周設される周壁部５ｂとを備えている。一方、台座枠５４の上面側の外周縁全体には、透明カバー５の周壁部５ｂの下端面と当接する当接縁面５４ａが形成されており、この当接縁面５４ａより内周側には当接縁面５４ａより一段高い平坦状のシート設置部５４ｂが形成されている。
【００７５】
この台座枠５４のシート設置部５４ｂの上面にはその全体に装飾用シート６が設置されており、装飾用シート６は、透明カバー５の平板部５ａの下面と台座枠５４のシート設置部５４ｂとの間に挟み込まれることによって固定されている（シート固定構造）。また、台座枠５４は、そのシート設置部５４ｂが透明カバー５の周壁部５ｂの内周に嵌り込み可能に形成されており、この嵌り込みによって、透明カバー５は台座枠５４に対して固定されている。
【００７６】
なお、上記実施例のように透明カバー５を台座枠５４に固定するため、透明カバー５の周壁部５ｂの内周面に係合突起５ｃ又は係合凹部４ｇの一方を設けるとともに、台座枠５４のシート設置部５４ｂの外周面に係合突起５ｃ又は係合凹部４ｇの他方を設けるようにしても良いが、図９では、これら係合突起５ｃ及び係合凹部４ｇの図示を便宜上省略している。
【００７７】
図１０は、上記した実施例の第５変形例である重箱６０を部分的に断面視した斜視図である。以下、上記実施例と同一の部分には同一の符号を付して、その説明を省略し、異なる部分のみを説明する。
【００７８】
図１０に示すように、第５変形例の重箱６０によれば、上記実施例のように係合突起５ｃ及び係合凹部４ｇによって透明カバー５を台座枠４に固定するのではなく、透明カバー５の四隅を台座枠４にネジ止めするようにしている。この場合、透明カバー５及び装飾用シート６の四隅にはネジ６８の軸部を貫通させる通孔６５ａ，６６ａを穿設するとともに、台座枠４の収容凹部４ｂの四隅には、ネジ６８の軸部が螺合される雌ネジ穴６４ａが凹設されている。
【００７９】
以上、実施例に基づき本考案を説明したが、本考案は上記実施例に何ら限定されるものではなく、本考案の趣旨を逸脱しない範囲内で種々の改良変形が可能であることは容易に推察できるものである。
【００８０】
例えば、本実施例及びその変形例では、重箱１，２０，３０，４０，５０，６０の形状が方形状であったが、かかる形状は必ずしもこれに限定されるものではなく、例えば、円柱状や他の多角柱状であっても良い。また、本実施例の装飾用シート６は、その表面６ａと裏面６ｂとにそれぞれ異なる装飾Ａ，Ｂが施されていたが、例えば、両面の装飾をそれぞれ同一のものとしても良い。
【符号の説明】
【００８１】
１，２０，３０，４０，５０，６０  重箱（装飾機能付き容器）
２                                容体
３                                蓋体
４，２４，５４                    台座枠（シート固定構造の一部）
４ｂ，２４ｃ                      収容凹部（収容凹部）
４ｃ，２４ｄ                      底板（の上面）（収容凹部の底面）
４ｄ                              押出孔
５，２５，３５，４５              透明カバー（シート固定構造の一部）
５ａ，２５ａ                      平板部
５ｂ                              周壁部（シート固定部）
６                                装飾用シート（装飾変更手段の一部）
６ａ                              表面（装飾用シートの表面）
６ｂ                              裏面（装飾用シートの裏面）
７                                装飾用空間
１６                              装飾用シート（装飾変更手段の一部）
２５ｃ                            内周壁部（シート固定部）
３５ｃ                            シート固定部（シート固定部）
Ａ，Ｂ，Ｃ，Ｄ                    装飾（装飾、装飾変更手段の一部）
Ｅ                                装飾物（立体状の装飾物）
【図１】
0003171202.tif 000003
【図２】
0003171202.tif 000004
【図３】
0003171202.tif 000005
【図４】
0003171202.tif 000006
【図５】
0003171202.tif 000007
【図６】
0003171202.tif 000008
【図７】
0003171202.tif 000009
【図８】
0003171202.tif 000010
【図９】
0003171202.tif 000011
【図１０】
0003171202.tif 000012